(57)【要約】【課題】コスト増加を抑制しつつ、番組を出力できない期間を短縮できる放送受信装置を提供することを課題とする。【解決手段】放送受信装置１は、ＤＡＢ放送信号５１Ａの品質を示すデジタル品質情報５１Ｄと、ＦＭ放送信号６１Ａの品質を示すアナログ品質情報６１Ｄとを取得する。ＤＡＢ放送信号５１Ａの受信中において、デジタル品質情報５１Ｄが低下傾向にあり、かつ、アナログ品質情報６１Ｄが受信可能レベルよりも高い場合、放送受信装置１は、ＤＡＢ放送信号をサーチする。放送受信装置１は、ＦＭ放送信号６１Ａに基づく音声信号をサーチ中に出力する。放送受信装置１は、新たなＤＡＢ放送信号を検出した場合、ＦＭ放送信号６１Ａに基づく音声信号の出力を停止し、検出されたＤＡＢ放送信号に基づく音声信号を出力する。【選択図】図２
2020072387.tif 000002
【特許請求の範囲】
【請求項１】
受信した第１デジタル放送信号を再生してデジタル再生信号を生成するデジタル再生部と、
受信したアナログ放送信号を再生してアナログ再生信号を生成するアナログ再生部と、
前記デジタル再生部により生成されたデジタル再生信号と、前記アナログ再生部により生成されたアナログ再生信号とのいずれか一方を出力する出力切替部と、
前記第１デジタル放送信号に基づいて前記第１デジタル放送信号の品質を示すデジタル品質情報を取得し、前記アナログ放送信号に基づいて前記アナログ放送信号の品質を示すアナログ品質情報を取得する品質情報取得部と、
前記デジタル品質情報が低下傾向にあるか否かを判断するデジタル品質判断部と、
前記アナログ品質情報がアナログ放送信号を受信できる所定の受信可能レベルよりも高いか否かを判断するアナログ品質判断部と、
前記デジタル品質情報が低下傾向にあると前記デジタル品質判断部が判断し、かつ、前記アナログ品質情報が前記受信可能レベルよりも高いと前記アナログ品質判断部が判断した場合、前記アナログ再生信号を出力するように前記出力切替部を制御し、前記デジタル再生部を用いて第２デジタル放送信号をサーチするサーチ部と、を備え、
前記サーチ部が前記第２デジタル放送信号を検出した場合、前記デジタル再生部は、前記第２デジタル放送信号を再生し、
前記出力切替部は、第２デジタル放送信号から生成されたデジタル再生信号を出力する、放送受信装置。
【請求項２】
請求項１に記載の放送受信装置であって、
前記デジタル品質判断部は、前記デジタル品質情報の低下率が所定の低下基準値よりも大きい場合、前記デジタル品質情報が低下傾向にあると判断する、放送受信装置。
【請求項３】
請求項１又は２に記載の放送受信装置であって、
前記デジタル品質判断部は、前記デジタル品質情報が予め設定された品質低下範囲内にある場合、前記デジタル品質情報が低下傾向にあると判断する、放送受信装置。
【請求項４】
請求項１〜３のいずれか１項に記載の放送受信装置であって、
サーチ方法決定レベルは、前記受信可能レベルが示すアナログ放送信号の品質よりも高い品質を示し、
前記アナログ品質情報が前記サーチ方法決定レベルよりも高いと前記アナログ品質判断部が判断した場合、前記サーチ部は、デジタル放送が行われている全てのチャネルをサーチした後に、前記第１デジタル放送信号に含まれる番組コードと同一の番組コードを有し、かつ、前記第１デジタル放送信号よりも高い品質を有するデジタル放送信号の中で、品質が最も高いデジタル放送信号を前記第２デジタル放送信号として検出し、
前記アナログ品質情報が前記サーチ方法決定レベル以下であると前記アナログ品質判断部が判断した場合、前記サーチ部は、前記第１デジタル放送信号に含まれる番組コードと同一の番組コードを有し、かつ、前記第１デジタル放送信号よりも高い品質を有するデジタル放送信号の中で、最初に検出されたデジタル放送信号を前記第２デジタル放送信号として検出する、放送受信装置。
【請求項５】
請求項１〜４のいずれか１項に記載の放送受信装置であって、さらに、
現在位置が前記第１デジタル放送信号の放送エリアの境界に位置するか否かを判断する位置判断部、を備え、
前記現在位置が前記放送エリアの境界に位置すると前記位置判断部が判断した場合、前記サーチ部は、前記第２デジタル放送信号をサーチする、放送受信装置。
【請求項６】
請求項５に記載の放送受信装置であって、
前記位置判断部は、現在位置を示す位置情報の履歴に基づいて、前記放送受信装置が前記放送エリアの境界に近づく方向に移動しているか否かを判定し、
前記放送受信装置が前記近づく方向に移動していると前記位置判断部が判断した場合、前記サーチ部は前記第２デジタル放送信号をサーチする、放送受信装置。
【請求項７】
受信した第１デジタル放送信号を再生してデジタル再生信号を生成するデジタル再生部と、受信したアナログ放送信号を再生してアナログ再生信号を生成するアナログ再生部とを備える放送受信装置の制御方法であって、
前記デジタル再生部により生成されたデジタル再生信号と、前記アナログ再生部により生成されたアナログ再生信号とのいずれか一方を出力するステップと、
前記第１デジタル放送信号に基づいて前記第１デジタル放送信号の品質を示すデジタル品質情報を取得し、前記アナログ放送信号に基づいて前記アナログ放送信号の品質を示すアナログ品質情報を取得するステップと、
前記取得されたデジタル品質情報が低下傾向にあるか否かを判断するステップと、
前記アナログ品質情報が、アナログ放送信号を受信できる所定の受信可能レベルよりも高いか否かを判断するステップと、
前記デジタル品質情報が低下傾向にあると判断され、かつ、前記アナログ品質情報が前記受信可能レベルよりも高いと判断された場合、前記アナログ再生信号の出力を開始し、前記デジタル再生部を用いて第２デジタル放送信号をサーチするステップと、
前記第２デジタル放送信号が検出された場合、前記第２デジタル放送信号の再生により生成されたデジタル再生信号を出力するステップと、を備える放送受信装置の制御方法。
【発明の詳細な説明】
【技術分野】
【０００１】
本発明は、アナログ放送及びデジタル放送の両者を受信できる放送受信装置に関する。
【背景技術】
【０００２】
ＤＡＢ（Digital Audio Broadcasting)と呼ばれるデジタルラジオ放送が欧州の一部地域に導入されている。ＤＡＢが導入された地域では、ＤＡＢとアナログラジオ放送であるＦＭ（Frequency Modulation）放送とを用いたサイマル放送が行われている場合がある。このようなサイマル放送が行われている地域では、サイマル放送に対応したラジオ受信装置が販売されている。このラジオ受信装置は、ＤＡＢ及びＦＭ放送のいずれか一方を選択し、選択した放送の音声を出力する。
【０００３】
特許文献１には、アナログラジオ信号及びデジタルラジオ信号を同時に受信するラジオ受信装置が開示されている。以下、特許文献１に係るラジオ受信装置を、単に「ラジオ装置」と記載する。
【０００４】
ラジオ装置は、アナログラジオ信号の再生中にデジタルラジオ信号の質が上側閾値を上回った場合、アナログラジオ信号の再生を停止し、デジタルラジオ信号を再生する。ラジオ装置は、デジタルラジオ信号の再生中にデジタルラジオ信号の質が下側閾値を下回った場合、デジタルラジオ信号の再生を停止し、アナログラジオ信号を再生する。
【先行技術文献】
【特許文献】
【０００５】
【特許文献１】特表２０１４−５２３１６１号公報
【発明の概要】
【発明が解決しようとする課題】
【０００６】
ラジオ装置において、デジタルラジオ放送を再生する再生部の数は１つである。ラジオ装置は、第１ＤＡＢ放送局から送信されたデジタルラジオ信号の受信中に、第１ＤＡＢ放送局が放送する番組と同一の番組を放送する第２ＤＡＢ放送局をサーチできない。この結果、ラジオ装置において音声が出力されない期間が発生する。以下、具体的に説明する。
【０００７】
ラジオ装置が、第１ＤＡＢ放送局から送信されるデジタルラジオ信号の品質が低下したために、アナログラジオ信号を再生する。その後、アナログラジオ信号の品質が低下した場合、ラジオ装置は、アナログラジオ信号の再生を停止する。ラジオ装置は、第１ＤＡＢ放送局から送信されるデジタルラジオ信号の再生を停止してから、第２ＤＡＢ放送局から送信されるデジタルラジオ信号を再生するまで、音声を出力できない。
【０００８】
ラジオ装置がデジタルラジオ信号を再生する２つの再生部を備えることにより、上記の問題を解決する方法が考えられる。一方の再生部が第１ＤＡＢ放送局から送信されたデジタルラジオ信号を再生し、他方の再生部が、第２ＤＡＢ放送局をサーチする。これにより、第１ＤＡＢ放送局から送信されたデジタルラジオ信号の品質が下側閾値を下回った場合、ラジオ装置は、第２ＤＡＢ放送局からのデジタルラジオ信号を直ちに再生できる。しかし、ラジオ装置が２つの再生部を備えることは、コスト増加の要因となる。
【０００９】
上記問題点に鑑み、本発明は、コスト増加を抑制しつつ、番組を出力できない期間を短縮できる放送受信装置を提供することを目的とする。
【課題を解決するための手段】
【００１０】
上記課題を解決するため、第１の発明は、放送受信装置であって、デジタル再生部と、アナログ再生部と、出力切替部と、品質情報取得部と、デジタル品質判断部と、アナログ品質判断部と、サーチ部とを備える。デジタル再生部は、受信した第１デジタル放送信号を再生してデジタル再生信号を生成する。アナログ再生部は、受信したアナログ放送信号を再生してアナログ再生信号を生成する。出力切替部は、デジタル再生部により生成されたデジタル再生信号と、アナログ再生部により生成されたアナログ再生信号とのいずれか一方を出力する。品質情報取得部は、第１デジタル放送信号に基づいて第１デジタル放送信号の品質を示すデジタル品質情報を取得し、アナログ放送信号に基づいてアナログ放送信号の品質を示すアナログ品質情報を取得する。デジタル品質判断部は、デジタル品質情報が低下傾向にあるか否かを判断する。アナログ品質判断部は、アナログ品質情報がアナログ放送信号を受信できる所定の受信可能レベルよりも高いか否かを判断する。デジタル品質情報が低下傾向にあるとデジタル品質判断部が判断し、かつ、アナログ品質情報が受信可能レベルよりも高いとアナログ品質判断部が判断した場合、サーチ部は、アナログ再生信号を出力するように出力切替部を制御し、デジタル再生部を用いて第２デジタル放送信号をサーチする。サーチ部が第２デジタル放送信号を検出した場合、デジタル再生部は、第２デジタル放送信号を再生する。出力切替部は、第２デジタル放送信号から生成されたデジタル再生信号を出力する。
【００１１】
第１の発明によれば、第１デジタル放送信号の品質が低下傾向にあり、かつ、アナログ放送信号の品質が受信可能レベルである場合、サーチ部は、第２デジタル放送信号をサーチする。出力切替部は、デジタル再生信号の出力を停止し、アナログ再生信号の出力を開始する。放送受信装置は、第１デジタル放送信号及びアナログ放送信号の両者の受信が不可能となる前に、第２デジタル放送信号から生成されたデジタル再生信号を出力できる。これにより、第１の発明は、番組を出力できない期間を短縮できる。
【００１２】
第２の発明は、第１の発明であって、デジタル品質判断部は、デジタル品質情報の低下率が所定の低下基準値よりも大きい場合、デジタル品質情報が低下傾向にあると判断する。
【００１３】
第２の発明によれば、デジタル品質情報の低下率が低下基準値よりも大きい場合に、第２デジタル放送局のサーチが開始される。第１デジタル放送信号の品質が急激に低下した場合に、速やかに第２デジタル放送局の探索を開始できる。
【００１４】
第３の発明は、第１又は第２の発明であって、デジタル品質判断部は、デジタル品質情報が予め設定された品質低下範囲内にある場合、デジタル品質情報が低下傾向にあると判断する。
【００１５】
第３の発明によれば、第１デジタル放送信号の品質が緩やかに低下する場合であっても、第２デジタル放送局の探索を開始できる。
【００１６】
第４の発明は、第１〜第３の発明のいずれかであって、サーチ方法決定レベルは、受信可能レベルが示すアナログ放送信号の品質よりも高い品質を示す。アナログ品質情報がサーチ方法決定レベルよりも高いとアナログ品質判断部が判断した場合、サーチ部は、デジタル放送が行われている全てのチャネルをサーチした後に、第１デジタル放送信号に含まれる番組コードと同一の番組コードを有し、かつ、第１デジタル放送信号よりも高い品質を有するデジタル放送信号の中で、品質が最も高いデジタル放送信号を第２デジタル放送信号として検出する。アナログ品質情報がサーチ方法決定レベル以下であるとアナログ品質判断部が判断した場合、サーチ部は、第１デジタル放送信号に含まれる番組コードと同一の番組コードを有し、かつ、第１デジタル放送信号よりも高い品質を有するデジタル放送信号の中で、最初に検出されたデジタル放送信号を第２デジタル放送信号として検出する。
【００１７】
第４の発明によれば、全てのチャネルがサーチされるため、デジタル再生部は、最も品質の高いデジタル放送信号を再生することができる。最も品質の高いデジタル放送信号は、その品質が低下傾向になるまでの時間が比較的長い。この結果、音声が出力されない期間を短縮できるとともに、サーチ回数を削減することができる。
【００１８】
また、アナログ品質情報がサーチ方法決定レベル以下である場合、サーチ部は、第１デジタル放送信号に含まれる番組コードと同一の番組コードを有し、かつ、第１デジタル放送信号よりも高い品質を有するデジタル放送信号の中で最初に検出されたデジタル放送信号を、第２デジタル放送信号として検出する。デジタル再生部は、全チャネルをサーチすることなく、第２デジタル放送信号の再生を開始できる。アナログ放送信号の受信が不可能となる前に第２デジタル放送信号の再生を速やかに開始できるため、音声が出力できない期間の発生を抑制できる。
【００１９】
第５の発明は、第１〜第４の発明のいずれかであって、さらに、位置判断部、を備える。位置判断部は、現在位置が第１デジタル放送信号の放送エリアの境界に位置するか否かを判断する。現在位置が放送エリアの境界に位置すると位置判断部が判断した場合、サーチ部は、第２デジタル放送信号をサーチする。
【００２０】
第５の発明によれば、現在位置が放送エリアの境界に位置する場合に第２デジタル放送局がサーチされる。一般に放送エリアの境界では放送信号の品質が低下する。従って、第１デジタル放送信号の品質が低下傾向にあり、かつ、現在位置が放送エリアの境界である場合、第１デジタル放送信号の品質の低下傾向が続くと予想される。この場合、放送受信装置が第１デジタル放送信号を最終的に受信できなくなる可能性が高いため、サーチ部が、第２デジタル放送信号をサーチする。放送受信装置は、第１デジタル放送信号及びアナログ放送信号の両者の受信が不可能となる前に、第２デジタル放送信号から生成されたデジタル再生信号を出力できる。
【００２１】
逆に、現在位置が放送エリアの中に位置するにも関わらず、第１デジタル放送信号の品質が低下傾向にある場合がある。この場合、第１デジタル放送信号の品質が回復する可能性が高いため、サーチ部は、第２デジタル放送局のサーチを開始しない。第２デジタル放送信号の不要なサーチ開始を抑制できるため、出力される再生信号の切替が頻繁に発生することを防ぐことができる。
【００２２】
第６の発明は、第５の発明であって、位置判断部は、現在位置を示す位置情報の履歴に基づいて、放送受信装置が放送エリアの境界に近づく方向に移動しているか否かを判定する。放送受信装置が近づく方向に移動していると位置判断部が判断した場合、サーチ部は第２デジタル放送信号をサーチする。
【００２３】
第６の発明によれば、放送受信装置が放送エリアに近づく場合、サーチ部は、第２デジタル放送信号をサーチする。放送受信装置が放送エリアに近づく場合、第１デジタル放送信号の品質は低下する。従って、第１デジタル放送信号の品質が低下傾向にあり、かつ、放送受信装置が放送エリアに近づく場合、第１デジタル放送信号の品質は、放送受信装置が第１デジタル放送信号を受信できないレベルにまで低下すると予想される。この場合、放送受信装置は、第２デジタル放送信号をサーチすることにより、第１デジタル放送信号及びアナログ放送信号の両者の受信が不可能となる前に、第２デジタル放送信号から生成されたデジタル再生信号を出力できる。逆に、放送受信装置が放送エリアの中心方向へ近づく場合、第１デジタル放送信号の品質が上がると予想される。この場合、サーチ部は、第２デジタル放送信号をサーチしない。これにより、デジタル再生信号の出力とアナログ再生信号の出力とが頻繁に切り替わることをさらに抑制できる。
【００２４】
第７の発明は、受信した第１デジタル放送信号を再生してデジタル再生信号を生成するデジタル再生部と、受信したアナログ放送信号を再生してアナログ再生信号を生成するアナログ再生部とを備える放送受信装置の制御方法である。第７の発明は、ａ）ステップと、ｂ）ステップと、ｃ）ステップと、ｄ）ステップと、ｅ）ステップと、ｆ）ステップと、ｇ）ステップとを備える。ａ）ステップは、デジタル再生部により生成されたデジタル再生信号と、アナログ再生部により生成されたアナログ再生信号とのいずれか一方を出力する。ｂ）ステップは、第１デジタル放送信号に基づいて第１デジタル放送信号の品質を示すデジタル品質情報を取得し、アナログ放送信号に基づいてアナログ放送信号の品質を示すアナログ品質情報を取得する。ｃ）ステップは、取得されたデジタル品質情報が低下傾向にあるか否かを判断する。ｄ）ステップは、アナログ品質情報が、アナログ放送信号を受信できる所定の受信可能レベルよりも高いか否かを判断する。ｅ）ステップは、デジタル品質情報が低下傾向にあると判断され、かつ、アナログ品質情報が受信可能レベルよりも高いと判断された場合、アナログ再生信号の出力を開始し、デジタル再生部を用いて第２デジタル放送信号をサーチする。ｆ）ステップは、第２デジタル放送信号が検出された場合、第２デジタル放送信号の再生により生成されたデジタル再生信号を出力する。
【００２５】
第８の発明は、第１の発明に用いられる。
【発明の効果】
【００２６】
本発明によれば、コスト増加を抑制しつつ、番組を出力できない期間を短縮できる放送受信装置を提供できる。
【図面の簡単な説明】
【００２７】
【図１】本発明の第１実施の形態に係る放送受信装置の動作の概略を説明する図である。
【図２】図１に示す放送受信装置の構成を示す機能ブロック図である。
【図３】図２に示す制御部の構成を示す機能ブロック図である。
【図４】図１に示す品質特定部により生成されるデジタル品質情報及びアナログ品質情報の時間変化の一例を示す図である。
【図５】図１に示す品質特定部により生成されるデジタル品質情報及びアナログ品質情報の時間変化の他の例を示す図である。
【図６】図１に示す品質特定部により生成されるデジタル品質情報及びアナログ品質情報の時間変化の他の例を示す図である。
【図７】図２に示す制御部の動作を示すフローチャートである。
【図８】図７に示す品質傾向特定処理のフローチャートである。
【図９】図３に示す品質特定部がＤＡＢ放送信号の品質特定に使用するテーブルの一例を示す図である。
【図１０】図３に示す品質特定部がＦＭ放送信号の品質特定に使用するテーブルの一例を示す図である。
【図１１】図７に示す第１サーチ処理のフローチャートである。
【図１２】図７に示す第２サーチ処理のフローチャートである。
【図１３】本発明の第２の実施の形態に係る放送受信装置が備える制御部の構成を示す機能ブロック図である。
【図１４】図１３に示す制御部の構成を示す機能ブロック図である。
【図１５】ＣＰＵバス構成を示す図である。
【発明を実施するための形態】
【００２８】
以下、図面を参照し、本発明の実施の形態を詳しく説明する。図中同一又は相当部分には同一符号を付してその説明は繰り返さない。
【００２９】
［第１の実施の形態］
｛１．放送受信装置１の概略｝
図１は、本発明の第１の実施の形態に係る放送受信装置１の概略を説明する図である。
【００３０】
図１を参照して、放送受信装置１は、自動車等の車両５に搭載される。放送受信装置１は、ＤＡＢ（Digital Audio Broadcast）放送及びＦＭ（Frequency Modulation）放送の両者を受信可能である。ＤＡＢ放送は、デジタルラジオ放送であり、ＦＭ放送はアナログラジオ放送である。
【００３１】
放送受信装置１は、ＤＡＢ放送信号及びＦＭ放送信号の両者を並行して受信する。放送受信装置１は、受信したＤＡＢ放送信号に基づく音声信号及び受信したＦＭ放送信号に基づく音声信号のうち、いずれか一方をスピーカに出力する。
【００３２】
放送受信装置１は、ＤＡＢ放送信号を再生する１つの再生部を有する。従って、放送受信装置１は、ＤＡＢ放送信号の再生と、ＤＡＢ放送信号のサーチとを並行して実行できない。放送受信装置１は、ＤＡＢ放送信号をサーチする場合、ＤＡＢ放送信号の再生を停止する。
【００３３】
放送受信装置１は、ＤＡＢ放送信号及びＦＭ放送信号の両者を受信している場合、基本的には、ＤＡＢ放送信号に基づく音声信号を出力する。ＤＡＢ放送の音質が、ＦＭ放送の音質よりも高いためである。
【００３４】
しかし、放送受信装置１は、ＤＡＢ放送信号の品質及びＦＭ放送信号の品質が後述する所定の条件を満たす場合、ＤＡＢ放送信号の再生を停止し、ＤＡＢ放送信号をサーチする。ＤＡＢ放送信号のサーチ期間において、放送受信装置１は、ＦＭ放送信号に基づく音声信号を出力する。これにより、放送受信装置１は、ＤＡＢ放送信号の再生部の数が１つであっても、音声信号が出力されない期間を短縮できる。
【００３５】
図１を参照して、ＤＡＢ放送局５１及び５２とＦＭ放送局６１とは、同一の番組を放送している。つまり、サイマル放送が、ＤＡＢ放送局５１及び５２とＦＭ放送局６１とにより行われている。
【００３６】
車両５が、位置Ｐ１、Ｐ２、Ｐ３及びＰ４の順に移動する。ＤＡＢ放送局５１の放送エリア５１Ｒは、位置Ｐ１〜Ｐ３を含み、位置Ｐ４を含まない。ＤＡＢ放送局５２の放送エリア５２Ｒは、位置Ｐ３及びＰ４を含み、位置Ｐ１及びＰ２を含まない。ＦＭ放送局６１の放送エリア６１Ｒは、位置Ｐ１及びＰ２を含み、位置Ｐ３及びＰ４を含まない。
【００３７】
放送エリアとは、放送信号が到達できる領域のことである。放送受信装置１は、一の放送信号の放送エリアの外に位置する場合、この一の放送信号を受信できない。なお、図１では、放送信号が放送局から放送される例を示しているが、放送信号は、放送局からだけでなく、放送局から放送される放送信号を中継する中継局から送信されてもよい。
【００３８】
車両５の移動に伴う放送受信装置１の動作を説明する。車両５が位置Ｐ１から位置Ｐ２へ移動する際に、放送受信装置１は、ＤＡＢ放送局５１から送信されたＤＡＢ放送信号５１Ａと、ＦＭ放送局６１から送信されたＦＭ放送信号６１Ａとを受信する。放送受信装置１は、受信したＤＡＢ放送信号５１Ａの品質と、受信したＦＭ放送信号６１Ａの品質とを特定する。
【００３９】
放送受信装置１は、位置Ｐ１において、ＤＡＢ放送信号５１Ａの品質が良好であり、ＤＡＢ放送信号５１Ａの品質が低下傾向にないと判断する。位置Ｐ１は、ＤＡＢ放送局５１に比較的近いためである。この場合、放送受信装置１は、ＤＡＢ放送信号５１Ａに基づく音声信号をスピーカに出力する。
【００４０】
位置Ｐ２において、ＤＡＢ放送信号５１Ａの品質が低下傾向にあり、かつ、ＦＭ放送信号６１Ａの品質が、予め設定された受信可能レベルよりも高いと仮定する。放送受信装置１は、位置Ｐ２において、ＤＡＢ放送信号のサーチを開始する。受信可能レベルは、ＦＭ放送信号６１Ａの受信できる最低限の品質を示す。アナログ品質情報６１Ｄが受信可能レベルを下回った場合、放送受信装置１は、ＦＭ放送信号６１Ａを受信できない。
【００４１】
車両５が位置Ｐ２から位置Ｐ３へ移動する。位置Ｐ３が放送エリア５２Ｒ内であるため、放送受信装置１は、ＤＡＢ放送局５２から送信されるＤＡＢ放送信号５２Ａを検出する。位置Ｐ３において、ＤＡＢ放送信号５２Ａの品質がＤＡＢ放送信号５１Ａの品質よりも高いと仮定する。放送受信装置１は、ＦＭ放送信号６１Ａに基づく音声信号の出力を停止し、ＤＡＢ放送信号５２Ａに基づく音声信号の出力を開始する。これにより、車両５が位置Ｐ２から位置Ｐ３へ移動する際に、放送受信装置１は、ＤＡＢ放送局５１が放送する番組と同一の番組の出力を継続できる。
【００４２】
従来の放送受信装置が車両５に搭載されている場合、従来の放送受信装置は、位置Ｐ３から位置Ｐ４までの区間において、ＤＡＢ放送信号５１Ａの再生を停止し、ＤＡＢ放送信号５２Ａのサーチを開始する。車両５が、位置Ｐ３から位置Ｐ４に移動する際に、放送エリア５１Ｒの外へ移動するためである。位置Ｐ３及びＰ４は、ＦＭ放送局６１の放送エリア６１Ｒに含まれない。従って、従来の放送受信装置は、ＤＡＢ放送信号５１Ａの受信を停止してからＤＡＢ放送信号５２Ａを検出するまで、音声信号を出力できない。
【００４３】
これに対して、放送受信装置１は、上述のように、車両が位置Ｐ２から位置Ｐ４に移動するまでの期間において、同一番組の出力を継続できる。放送受信装置１は、ＤＡＢ放送信号の再生とＤＡＢ放送信号のサーチとを並行して実行できなくても、音声が出力されない期間を短縮できる。
【００４４】
｛２．構成｝
｛２．１．放送受信装置１の構成｝
図２は、図１に示す放送受信装置１の構成を示す機能ブロック図である。図２を参照して、放送受信装置１は、スピーカ３と接続される。
【００４５】
以下、ＤＡＢ放送局５１及び５２を総称する場合、「ＤＡＢ放送局５０」と記載する。ＤＡＢ放送信号５１Ａ及び５２Ａを総称する場合、「ＤＡＢ放送信号５０Ａ」と記載する。ＤＡＢ音声信号５１Ｂ及び５２Ｂを総称する場合、「ＤＡＢ音声信号５０Ｂ」と記載する。
【００４６】
放送受信装置１は、ＤＡＢ放送局５０から送信されるＤＡＢ放送信号５０Ａを受信し、その受信したＤＡＢ放送信号５０ＡからＤＡＢ音声信号５０Ｂを生成する。放送受信装置１は、ＦＭ放送局６１から送信されるＦＭ放送信号６１Ａを受信し、その受信したＦＭ放送信号６１ＡからＦＭ音声信号６１Ｂを生成する。放送受信装置１は、ＤＡＢ音声信号５１Ｂ及びＦＭ音声信号６１Ｂのうち、いずれか一方をスピーカ３に出力する。スピーカ３は、放送受信装置１から受けた音声信号を音声に変換して出力する。
【００４７】
以下の説明において、放送信号から音声信号を生成する処理を「再生」と記載する。再生は、増幅、Ａ／Ｄ変換、復調及び復号など、放送信号から音声信号を生成するための各種処理を含む。再生に含まれる処理は、アナログ形式のＦＭ放送信号から音声信号を生成する場合と、デジタル形式のＤＡＢ放送信号から音声信号を生成する場合とで異なる。
【００４８】
放送受信装置１は、ＦＭ受信部１０と、ＤＡＢ受信部２０と、出力切替部３０と、制御部４０とを備える。
【００４９】
ＦＭ受信部１０は、ＦＭ放送信号６１Ａを受信する。ＦＭ受信部１０は、アンテナ１１と、ＦＭ再生部１２とを含む。
【００５０】
アンテナ１１は、ＦＭ放送局６１から無線により送信されるＦＭ放送信号６１Ａを受信し、その受信したＦＭ放送信号６１ＡをＦＭ再生部１２に出力する。
【００５１】
ＦＭ再生部１２は、アンテナ１１から受けたＦＭ放送信号６１Ａを再生してＦＭ音声信号６１Ｂを生成する。生成されたＦＭ音声信号６１Ｂは、出力切替部３０に出力される。ＦＭ再生部１２は、ＦＭ品質パラメータ６１ＣをＤＡＢ放送信号６１Ａから取得し、その取得したＦＭ品質パラメータ６１Ｃを制御部４０に出力する。詳細は後述するが、ＦＭ品質パラメータ６１Ｃは、ＦＭ放送信号６１Ａの品質を特定するために用いられる。
【００５２】
ＤＡＢ受信部２０は、ＤＡＢ放送信号５０Ａを受信する。ＤＡＢ受信部２０は、アンテナ２１と、ＤＡＢ再生部２２とを含む。
【００５３】
アンテナ２１は、ＤＡＢ放送局５０から無線により送信されるＤＡＢ放送信号５０Ａを受信し、その受信したＤＡＢ放送信号５０ＡをＤＡＢ再生部２２に出力する。
【００５４】
ＤＡＢ再生部２２は、アンテナ２１から受けたＤＡＢ放送信号５０Ａを再生してＤＡＢ音声信号５０Ｂを生成する。生成されたＤＡＢ音声信号５０Ｂは、出力切替部３０に出力される。ＤＡＢ再生部２２は、番組コードＰｃと複数のＤＡＢ品質パラメータ５０ＣをＤＡＢ放送信号５０Ａから取得し、その取得した番組コードＰｃとＤＡＢ品質パラメータ５１Ｃは、制御部４０に出力される。
【００５５】
番組コードＰｃは、ＤＡＢ放送局が現在放送している番組を示す情報である。詳細については、ＤＡＢ品質パラメータ５０Ｃは、ＤＡＢ放送信号５０Ａの品質を特定するために用いられる。ＤＡＢ品質パラメータ５１Ｃは、ＤＡＢ放送信号５１Ａから取得され、ＤＡＢ品質パラメータ５２Ｃは、ＤＡＢ放送信号５２Ａから取得される。
【００５６】
ＤＡＢ再生部２２は、ＤＡＢ放送信号５１Ａの再生と、ＤＡＢ放送信号５２Ａの再生とを並行して実行しない。ＤＡＢ再生部２２は、ＤＡＢ音声信号５１Ｂ及び５２Ｂのうち、いずれか一方を再生する。ＤＡＢ再生部２２は、ＤＡＢ放送信号のサーチを制御部４０により指示された場合、ＤＡＢ放送信号５０Ａの再生を停止した後に、ＤＡＢ放送信号をサーチする。
【００５７】
出力切替部３０は、制御部４０からの制御信号Ｓに従って、ＦＭ受信部１０から受けたＦＭ音声信号６１Ｂ及びＤＡＢ再生部２２から受けたＤＡＢ音声信号５０Ｂのうち、いずれか一方をスピーカ３に出力する。
【００５８】
制御部４０は、ＤＡＢ再生部２２から受けたＤＡＢ品質パラメータ５０Ｃと、ＦＭ再生部１２から受けたＦＭ品質パラメータ６１Ｃとを用いて、ＦＭ受信部１０と、ＤＡＢ受信部２０と、出力切替部３０とを制御する。
【００５９】
｛２．２．制御部４０の構成｝
図３は、制御部４０の構成を示す機能ブロック図である。図３を参照して、制御部４０は、品質特定部４１と、デジタル品質判断部４２と、アナログ品質判断部４３と、開始決定部４４と、サーチ部４５とを備える。
【００６０】
品質特定部４１は、ＤＡＢ品質パラメータ５０ＣをＤＡＢ再生部２２から受け、その受けたＤＡＢ品質パラメータ５０Ｃに基づいて、デジタル品質情報５０Ｄを取得する。品質特定部４１は、ＦＭ品質パラメータ６１ＣをＦＭ再生部１２から受け、その受けたＦＭ品質パラメータ６１Ｃに基づいて、アナログ品質情報６１Ｄを取得する。
【００６１】
デジタル品質情報５０Ｄは、デジタル品質情報５１Ｄ及び５２Ｄの総称である。デジタル品質情報５１Ｄは、ＤＡＢ放送信号５１Ａの品質を示す。デジタル品質情報５２Ｄは、ＤＡＢＢ放送信号５２Ａの品質を示す。アナログ品質情報６１Ｄは、ＦＭ放送信号６１Ａの品質を示す。
【００６２】
デジタル品質判断部４２は、デジタル品質情報５０Ｄを品質特定部４１から受ける。デジタル品質判断部４２は、その受けたデジタル品質情報５０Ｄが低下傾向にあるか否かを判断し、その判断結果Ｄｒを開始決定部４４に出力する。
【００６３】
アナログ品質判断部４３は、アナログ品質情報６１Ｄを品質特定部４１から受ける。アナログ品質判断部４３は、その受けたアナログ品質情報６１Ｄを予め設定された受信可能レベルと比較し、その比較結果Ｃｆ１を開始決定部４４に出力する。アナログ品質判断部４３は、アナログ品質情報６１Ｄを予め設定されたサーチ方法決定レベルと比較し、その比較結果Ｃｆ２を開始決定部４４に出力する。サーチ方法決定レベルは、受信可能レベルよりも高い品質を示し、ＤＡＢ放送局のサーチ方法を決定するために用いられる。
【００６４】
開始決定部４４は、デジタル品質判断部４２から受けた判断結果Ｄｒとアナログ品質判断部４３から受けた比較結果Ｃｆ１，Ｃｆ２とに基づいて、ＤＡＢ放送信号のサーチを開始するか否かを決定する。
【００６５】
サーチ部４５は、開始決定部４４がサーチ開始を決定した場合、制御信号Ｓを出力切替部３０に出力してＦＭ音声信号６１Ｂの出力を指示する。サーチ部４５は、ＤＡＢ再生部２２を用いて、ＤＡＢ放送局５０が放送している番組と同一の番組を放送している他のＤＡＢ放送局をサーチする。
【００６６】
｛３．動作｝
｛３．１．放送受信装置１の動作｝
図４は、デジタル品質情報５１Ｄ、デジタル品質情報５２Ｄ、及びアナログ品質情報６１Ｄの時間変化の一例を示す。図４の上段は、デジタル品質情報５１Ｄ及び５２Ｄの時間変化を示す。図４の中段は、アナログ品質情報６１Ｄの時間変化を示す。図４の下段は、出力切替部３０がスピーカ３に出力する音声信号を示す。
【００６７】
デジタル品質情報５１Ｄと、デジタル品質情報５２Ｄと、アナログ品質情報６１Ｄとの各々は、０以上１００以下の数値で表される。各品質情報において、０は最も品質が低いことを示し、１００は最も品質が高いことを示す。
【００６８】
時刻ｔ１から時刻ｔ３までの期間は、車両５が図１に示す位置Ｐ１から位置Ｐ２へ移動する期間に相当する。時刻ｔ３は、車両５が位置Ｐ２にいる時刻に相当する。時刻ｔ３から時刻ｔ４までの期間は、車両５が位置Ｐ２から位置Ｐ３へ移動する期間に相当する。
【００６９】
以下、図４を参照しながら、放送受信装置１の動作を詳しく説明する。
【００７０】
時刻ｔ１から時刻ｔ２までの期間において、ＤＡＢ再生部２２は、ＤＡＢ放送信号５１Ａを再生してＤＡＢ音声信号５１Ｂを生成する。ＦＭ再生部１２は、ＦＭ放送信号６１Ａを再生してＦＭ音声信号６１Ｂを生成する。出力切替部３０は、ＤＡＢ音声信号５１Ｂ及びＦＭ音声信号６１Ｂのうち、ＤＡＢ音声信号５１Ｂをスピーカ３に出力する。
【００７１】
時刻ｔ１から時刻ｔ２までの期間において、デジタル品質情報５１Ｄは、デジタル品質判断部４２に予め設定された品質低下範囲の上限値Ｈ１を上回っている。この場合、制御部４０は、ＤＡＢ音声信号５１Ｂを出力することにより、スピーカ３を介して良好な音声を出力できると判断する。制御部４０は、ＦＭ放送信号６１Ａの品質に関係なく、ＤＡＢ音声信号５１Ｂの出力を決定する。
【００７２】
デジタル品質情報５１Ｄは、時刻ｔ２から時刻ｔ３の期間にかけて急速に減少する。時刻ｔ３において、デジタル品質情報５１Ｄの値が、品質低下範囲内にある。また、時刻ｔ３に算出されたデジタル品質情報５１Ｄの減少率が、制御部４０に予め設定された減少基準値率よりも大きい。この結果、デジタル品質判断部４２は、時刻ｔ３において、デジタル品質情報５１Ｄが低下傾向にあると判断し、その判断結果Ｔｄを開始決定部４４に出力する。
【００７３】
デジタル品質情報５１Ｄの減少率は、例えば、以下のようにして算出される。デジタル品質判断部４２は、時刻ｔ３から所定時間（例えば、１０秒）を遡った時刻を基準時刻に設定する。デジタル品質判断部４２は、時刻ｔ３におけるデジタル品質情報５１Ｄを基準時刻におけるデジタル品質情報５１Ｄから減算して減算値を算出し、その算出した減算値を所定時間で除算する。除算値が、時刻ｔ３におけるデジタル品質情報５１Ｄの減少率である。
【００７４】
デジタル品質情報５１Ｄが低下傾向にあることは、ＤＡＢ放送信号５０Ａを受信できないことを意味しない。デジタル品質情報５１Ｄが低下傾向にある場合であっても、ユーザは、ＤＡＢ放送信号５１Ａに基づく音声を聞くことが可能であり、ＤＡＢ放送局５１により放送される番組を楽しむことができる。
【００７５】
デジタル品質情報５１Ｄが、図４上段に示す劣化範囲内にある場合、ＤＡＢ再生部２２は、デジタル放送信号５１Ａを再生できない。ここで、再生できないとは、ＤＡＢ再生部２２がＤＡＢ放送信号５１Ａを再生する処理を実行したとしても、無音の音声信号が生成されることを示す。
【００７６】
アナログ品質判断部４３は、アナログ品質情報６１Ｄを受信可能レベル及びサーチ方法決定レベルの各々と比較し、比較結果Ｃｆ１，Ｃｆ２を開始決定部４４に出力する。比較結果Ｃｆ１は、アナログ品質情報６１Ｄを受信可能レベルと比較した結果を示す。比較結果Ｃｆ２は、アナログ品質情報６１Ｄをサーチ方法決定レベルと比較した結果を示す。
【００７７】
時刻ｔ３において、判断結果Ｔｄは、デジタル品質情報５１Ｄの低下傾向を示している。比較結果Ｃｆ１は、アナログ品質情報６１Ｄが受信可能レベルを上回っていることを示している。開始決定部４４は、ＤＡＢ放送信号５１Ａを再生できるにも関わらず、ＤＡＢ放送信号のサーチ開始を決定する。サーチ開始が決定された場合、出力切替部３０は、ＦＭ音声信号６１Ｂを出力する。
【００７８】
デジタル品質情報５１Ｄが低下傾向にある場合、サーチ部４５は、アナログ品質情報６１Ｄに応じて、ＤＡＢ放送信号のサーチ方法を変更する。
【００７９】
図４中段に示すように、時刻ｔ３における比較結果Ｃｆ２は、アナログ品質情報６１Ｄがサーチ方法決定レベルを上回っていることを示している。この場合、サーチ部４５は、ＤＡＢ放送の周波数帯域に設定された全チャネルをサーチする。第１サーチ処理を実行する。第１サーチ処理の詳細については、後述する。
【００８０】
時刻ｔ４において、ＤＡＢ放送局５２が検出された場合、ＤＡＢ再生部２２は、ＤＡＢ放送信号５２Ａの再生を開始する。出力切替部３０は、ＤＡＢ放送信号５２Ａから生成されたＤＡＢ音声信号５２Ｂを出力する。
【００８１】
図５は、デジタル品質情報５１Ｄ、デジタル品質情報５２Ｄ、及びアナログ品質情報６１Ｄの時間変化の他の例を示す。図５の上段は、デジタル品質情報５１Ｄ及び５２Ｄの時間変化を示し、図４の上段と同じである。図５の中段は、図４の中段と異なるアナログ品質情報６１Ｄの時間変化を示す。図５の下段は、出力切替部３０が出力する音声信号を示し、図４の下段と同じである。
【００８２】
図５中段に示すように、時刻ｔ３における比較結果Ｃｆ２は、アナログ品質情報６１Ｄがサーチ方法決定レベル以下であることを示す。時刻ｔ３における比較結果Ｃｆ１は、アナログ品質情報６１Ｄが受信可能レベルよりも高いことを示す。この場合、開始決定部４４は、第２サーチ処理の実行を決定する。ＤＡＢ放送局５１が放送する番組と同一の番組を放送するＤＡＢ放送局５２を検出し、かつ、デジタル品質情報５２Ｄがデジタル品質情報５１Ｄよりも高い場合、第２サーチ処理は、サーチを終了する。つまり、第２サーチ処理は、第１サーチ処理と異なり、全てのチャネルをサーチしない場合がある。第２サーチ処理の詳細については、後述する。
【００８３】
時刻ｔ４において、ＤＡＢ放送局５２が検出された場合、ＤＡＢ再生部２２は、ＤＡＢ放送信号５２Ａの再生を開始する。出力切替部３０は、ＤＡＢ放送信号５２Ａから生成されたＤＡＢ音声信号５２Ｂを出力する。
【００８４】
図６は、デジタル品質情報５１Ｄ、デジタル品質情報５２Ｄ、及びアナログ品質情報６１Ｄの時間変化の他の例を示す。図６の上段は、デジタル品質情報５１Ｄ及び５２Ｄの時間変化を示し、図４の上段と同じである。図６の中段は、図４及び図５の中段と異なるアナログ品質情報６１Ｄの時間変化を示す。図６の下段は、出力切替部３０が出力する音声信号を示し、図４及び図５の下段と異なる変化を示す。
【００８５】
図６中段に示すように、時刻ｔ３における比較結果Ｃｆ１が、アナログ品質情報６１Ｄが受信可能レベル以下であることを示している。この場合、開始決定部４４は、第３サーチ処理の実行を決定する。第３サーチ処理は、ＤＡＢ音声信号５１Ｂ及びＦＭ音声信号６１Ｂの出力を停止した上で、ＤＡＢ放送信号をサーチする。第３サーチ処理の実行中に、音声はスピーカ３から出力されない。
【００８６】
このように、デジタル品質情報５１Ｄが低下傾向にあり、かつ、アナログ品質情報６１Ｄが受信可能レベルよりも高い場合、放送受信装置１は、スピーカ３への出力をＦＭ音声信号に切り替えた上で、ＤＡＢ放送信号をサーチする。つまり、ＦＭ放送信号６１Ａを受信可能である場合、放送受信装置１は、ＤＡＢ放送信号５１Ａの品質がＤＡＢ放送信号５１Ａを再生できないほど劣化するよりも前に、ＤＡＢ放送信号のサーチを開始する。ＤＡＢ放送信号のサーチ中、放送受信装置１は、ＦＭ音声信号６１Ｂを出力する。ＤＡＢ放送信号５１Ａを受信できなくなってからＤＡＢ放送信号のサーチを開始するよりも、音声が出力されない期間を短縮できる。
【００８７】
｛３．２．制御部４０の動作｝
図７は、図２に示す制御部４０の動作を示すフローチャートである。制御部４０は、ＤＡＢ音声信号５０Ｂの出力を出力切替部３０に指示している場合、図７に示す処理を一定の時間間隔で繰り返し実行する。図７を参照しながら、出力切替部３０がＤＡＢ音声信号５１Ｂを出力している場合を例に、制御部４０の動作を説明する。
【００８８】
品質特定部４１は、ＤＡＢ放送信号５１Ａの品質を特定する（ステップＳ１０１）。ステップＳ１０１の結果、デジタル品質情報５１Ｄが生成される。品質特定部４１は、生成されたデジタル品質情報５１Ｄをデジタル品質判断部４２に出力する。ステップＳ１０１の詳細については、後述する。
【００８９】
品質特定部４１は、ＦＭ放送信号５１Ａの品質を特定する（ステップＳ１０２）。ステップＳ１０２の結果、アナログ品質情報６１Ｄが生成される。品質特定部４１は、生成されたアナログ品質情報６１Ｄをアナログ品質判断部４３に出力する。ステップＳ１０２の詳細については、後述する。
【００９０】
デジタル品質判断部４２は、ステップＳ１０１で生成されたデジタル品質情報５１Ｄを品質特定部４１から受ける。デジタル品質判断部４２は、その受けたデジタル品質情報５１Ｄを用いて、品質傾向特定処理を実行する（ステップＳ１０３）。品質傾向特定処理（ステップＳ１０３）は、デジタル品質情報５１Ｄが低下傾向にあるか否かを特定する処理である。
【００９１】
図８は、図７に示す品質傾向特定処理（ステップＳ１０３）のフローチャートである。図８を参照して、デジタル品質判断部４２は、ステップＳ１０１で生成されたデジタル品質情報５１Ｄが、図４に示す品質低下範囲内にあるか否かを判断する（ステップＳ３０１）。
【００９２】
デジタル品質情報５１Ｄが品質低下範囲内にある場合（ステップＳ３０１においてＹｅｓ）、デジタル品質判断部４２は、第１低下傾向条件が満たされていると判断する（ステップＳ３０２）。デジタル品質情報５１Ｄが品質低下範囲外である場合（ステップＳ３０２においてＮｏ）、デジタル品質判断部４２は、第１低下傾向条件が満たされていないと判断する（ステップＳ３０３）。第１低下傾向条件は、デジタル品質情報５１Ｄが低下傾向にあると判断するための条件の１つである。
【００９３】
デジタル品質判断部４２は、デジタル品質情報５１Ｄの低下率を算出する（ステップＳ３０４）。低下率の算出方法は既に説明しているため、ここではその説明を省略する。
【００９４】
デジタル品質判断部４２は、ステップＳ３０４で算出した低下率が予め設定された低下基準値よりも大きいか否かを判断する（ステップＳ３０５）。低下率が低下基準値よりも大きい場合（ステップＳ３０５においてＹｅｓ）、デジタル品質判断部４２は、第２低下傾向条件が満たされていると判断する（ステップＳ３０６）。低下率が低下基準値以下である場合（ステップＳ３０５においてＮｏ）、デジタル品質判断部４２は、第２低下傾向条件が満たされていないと判断する（ステップＳ３０７）。第２低下傾向条件は、デジタル品質情報５１Ｄが低下傾向にあると判断するための条件の１つである。
【００９５】
デジタル品質判断部４２は、第１及び第２低下傾向条件の両者が満たされているか否かを判断する（ステップＳ３０８）。
【００９６】
第１及び第２低下傾向条件の両者が満たされている場合（ステップＳ３０８においてＹｅｓ）、デジタル品質判断部４２は、デジタル品質情報５１Ｄが低下傾向にあると判断し（ステップＳ３０９）、低下傾向にあることを示す判断結果Ｔｄを生成する。第１及び第２低下傾向条件の少なくとも一方が満たされていない場合（ステップＳ３０８においてＮｏ）、デジタル品質判断部４２は、デジタル品質情報５１Ｄが低下傾向にないと判断し（ステップＳ３１０）、低下傾向にないことを示す判断結果Ｔｄを生成する。
【００９７】
デジタル品質判断部４２は、ステップＳ３０９又はＳ３１０で生成された判断結果Ｔｄを開始決定部４４に出力し、図８に示す処理を終了する。なお、図８に示していないが、デジタル品質判断部４２は、ステップＳ３０１において、デジタル品質情報５１Ｄが図４〜図６上段に示す劣化範囲内にあるか否かについても判断する。判断結果Ｔｄは、デジタル品質情報５１Ｄが劣化範囲内にあるか否かを示す情報を含む。
【００９８】
再び、図７を参照して、開始決定部４４は、デジタル品質判断部４２から判断結果Ｔｄを受ける。判断結果Ｔｄが、デジタル品質情報５１Ｄが低下傾向にあることを示している場合（ステップＳ１０４においてＹｅｓ）、ステップＳ１０５が実行される。
【００９９】
アナログ品質判断部４３は、ステップＳ１０２で生成されたアナログ品質情報６１Ｄをサーチ方法決定レベルと比較する（ステップＳ１０５）。ステップＳ１０５における比較結果Ｃｆ２が、開始決定部４４に出力される。
【０１００】
比較結果Ｃｆ２が、アナログ品質情報６１Ｄがサーチ方法決定レベルよりも高いことを示している場合（ステップＳ１０５においてＹｅｓ）、開始決定部４４は、第１サーチ処理を用いたＤＡＢ放送信号のサーチ開始を決定する（ステップＳ１０６）。サーチ部４５は、開始決定部４４の決定を受けて、第１サーチ処理を実行する（ステップＳ１０７）。
【０１０１】
ステップＳ１０４の説明に戻る。デジタル品質情報５１Ｄが低下傾向にない場合（ステップＳ１０４においてＮｏ）、開始決定部４４は、判断結果Ｔｄを参照して、デジタル品質情報５１Ｄが劣化範囲にあるか否かを判断する（ステップＳ１０８）。
【０１０２】
デジタル品質情報５１Ｄが劣化範囲内にない場合（ステップＳ１０８においてＮｏ）、デジタル品質情報５１Ｄは、図４上段に示すように、品質低下範囲の上限値Ｈ１よりも高い。この場合、開始決定部４４は、デジタル品質情報５１Ｄが高い状態が継続すると判断し、ＤＡＢ放送信号をサーチしないことを決定する（ステップＳ１１４）。
【０１０３】
デジタル品質情報５１Ｄが劣化範囲内にある場合（ステップＳ１０８においてＹｅｓ）、アナログ品質判断部４３が、アナログ品質情報６１Ｄを受信可能レベルと比較する（ステップＳ１０９）。ステップＳ１０９の結果は、比較結果Ｃｆ１として開始決定部４４に出力される。
【０１０４】
比較結果Ｃｆ１が、アナログ品質情報６１Ｄが受信可能レベルよりも高いことを示している場合（ステップＳ１０９においてＹｅｓ）、開始決定部４４は、第２サーチ処理を用いたＤＡＢ放送信号のサーチ開始を決定する（ステップＳ１１０）。サーチ部４５は、開始決定部４４の決定を受けて、第２サーチ処理を実行する（ステップＳ１１１）。
【０１０５】
比較結果Ｃｆ１が、アナログ品質情報６１Ｄが受信可能レベル以下であることを示している場合（ステップＳ１１０においてＮｏ）、開始決定部４４は、第３サーチ処理を用いたＤＡＢ放送信号のサーチ開始を決定する（ステップＳ１１２）。サーチ部４５は、開始決定部４４の決定を受けて、第３サーチ処理を実行する（ステップＳ１１３）。
【０１０６】
｛３．３．ＤＡＢ放送信号の品質の特定（ステップＳ１０１）｝
ＤＡＢ再生部２２は、ＤＡＢ品質パラメータ５１Ｃを、ＤＡＢ放送信号５１Ａから一定の間隔で取得する。品質特定部４１は、ＤＡＢ再生部２２から受けたＤＡＢ品質パラメータ５１Ｃに基づいて、ＤＡＢ放送信号５１Ａの品質を特定する。ＤＡＢ品質パラメータ５１Ｃは、ＤＡＢ放送信号５１ＡのＲＳＳＩ（Received Signal Strength Indicator）と、ＢＥＲ（Bit Error Rate）と、Ｃ／Ｎ（Carrier to Ｎoise ratio）とを含む。
【０１０７】
図９は、図３に示す品質特定部４１が使用する品質特定テーブル４１ｄの一例を示す図である。品質特定部４１は、ＤＡＢ品質パラメータ５１Ｃに含まれるＲＳＳＩとＢＥＲとＣ／Ｎとに対応する品質を、図９に示す品質特定テーブル４１ｄを参照して特定する。例えば、ＲＳＳＩが９０（ｄＢｍ）であり、ＢＥＲが０．３（％）であり、Ｃ／Ｎが３０（ｄＢ）である場合、ＤＡＢ放送信号５１Ａの品質は、９７である。品質特定部４１は、品質特定テーブル４１ｄを用いて特定した品質をデジタル品質情報５１Ｄとして、デジタル品質判断部４２に出力する。
【０１０８】
｛３．４．ＦＭ放送信号の品質の特定（ステップＳ１０２）｝
ＦＭ再生部１２は、ＦＭ品質パラメータ６１Ｃを、ＦＭ放送信号６１Ａから一定の間隔で取得する。品質特定部４１は、ＦＭ再生部１２から受けたＦＭ品質パラメータ６１Ｃに基づいて、ＦＭ放送信号６１Ａの品質を特定する。ＦＭ品質パラメータ６１Ｃは、ＦＭ放送信号６１ＡのＲＳＳＩと、マルチパス検出信号と、隣接妨害検出信号とを含む。
【０１０９】
図１０は、図３に示す品質特定部４１が使用する品質特定テーブル４１ｆの一例を示す図である。品質特定部４１は、ＦＭ再生部１２から受けたＲＳＳＩとマルチパス検出信号と隣接妨害検出信号とに対応する品質を、図１０に示す品質特定テーブル４１ｆを参照して特定する。例えば、ＲＳＳＩが９３（ｄＢｍ）であり、マルチパス検出信号がａ４であり、隣接妨害検出信号がｂ５である場合、ＦＭ放送信号６１Ａの品質は、９８である。品質特定部４１は、品質特定テーブル４１ｆを用いて特定した品質をアナログ品質情報６１Ｄとして、アナログ品質判断部４３に出力する。
【０１１０】
｛３．５．第１サーチ処理（ステップＳ１０７）｝
図１１は、図７に示す第１サーチ処理（ステップＳ１０７）のフローチャートである。図１１を参照して、サーチ部４５は、ＦＭ音声信号６１Ｂの出力を出力切替部３０に指示する（ステップＳ６０１）。出力切替部３０は、サーチ部４５の指示に応じて、ＦＭ音声信号６１Ｂの出力を開始する。
【０１１１】
サーチ部４５は、ＤＡＢ放送の周波数帯域に設定された一のチャネルを選択する（ステップＳ６０２）。第１サーチ処理の説明において、ステップＳ６０２で選択されたチャネルを「選択チャネル」と記載する。
【０１１２】
サーチ部４５は、選択チャネルの番組コードを取得する（ステップＳ６０３）。具体的には、サーチ部４５は、選択チャネルに対応するＤＡＢ放送信号の再生をＤＡＢ再生部２２に指示する。ＤＡＢ再生部２２は、サーチ部４５の指示に応じて選択チャネルに対応するＤＡＢ音声信号を再生して、選択チャネルに対応するＤＡＢ放送信号から番組コードを読み出す。ＤＡＢ再生部２２は、読み出した番組コードをサーチ部４５に出力する。
【０１１３】
品質特定部４１は、選択チャネルに対応するＤＡＢ放送信号の品質を特定する（ステップＳ６０４）。具体的は、ＤＡＢ再生部２２は、選択チャネルのＤＡＢ品質パラメータを選択チャネルに対応するＤＡＢ音声信号から取得して、品質特定部４１に出力する。品質特定部４１は、選択チャネルのＤＡＢ品質パラメータに基づいて、選択チャネルに対応するＤＡＢ放送信号の品質を特定する。
【０１１４】
サーチ部４５は、全チャネルの選択を終了したか否かを判断する（ステップＳ６０５）。全チャネルの選択が終了していない場合（ステップＳ６０５においてＮｏ）、サーチ部４５は、ステップＳ６０２に戻る。全チャネルの選択が終了した場合（ステップＳ６０５においてＹｅｓ）、サーチ部４５は、ステップＳ６０３で取得した各チャネルの番組コードに基づいて、サーチ開始前の受信チャネルで放送されていた番組と同一の番組を放送する少なくとも１つのチャネルを特定する（ステップＳ６０６）。サーチ開始前の受信チャネルは、ＤＡＢ放送局５１である。
【０１１５】
サーチ部４５は、ステップＳ６０６で特定した少なくとも１つのチャネルのうち、最も品質の高いＤＡＢ放送信号に対応するチャネルを特定する（ステップＳ６０７）。放送受信装置１は、ステップＳ６０７で特定したチャネルに対応する音声信号の出力を開始する（ステップＳ６０８）。具体的には、サーチ部４５は、ステップＳ６０７で特定したチャネルに対応するＤＡＢ放送信号の再生をＤＡＢ再生部２２に指示し、ＤＡＢ音声信号の出力を出力切替部３０に指示する。
【０１１６】
第１サーチ処理は、ＤＡＢ放送を行う全チャネルをサーチするため、放送受信装置１は、品質の高いＤＡＢ放送信号を再生することができる。品質の高いＤＡＢ放送信号は、その品質が低下傾向になるまでの時間が比較的長い。この結果、音声が出力されない期間を短縮できるとともに、ＤＡＢ放送局のサーチ回数を削減することができる。
【０１１７】
｛３．６．第２サーチ処理（ステップＳ１１１）｝
図１２は、図７に示す第２サーチ処理（ステップＳ１１１）のフローチャートである。図１２を参照して、サーチ部４５は、ＦＭ音声信号６１Ｂの出力を出力切替部３０に指示する（ステップＳ７０１）。出力切替部３０は、サーチ部４５の指示に応じて、ＦＭ音声信号６１Ｂの出力を開始する。
【０１１８】
サーチ部４５は、ＤＡＢ放送に割り当てられた周波数帯域において一のチャネルを選択する（ステップＳ７０２）。以下、第２サーチ処理の説明において、ステップＳ７０２で選択されたチャネルを「選択チャネル」と記載する。
【０１１９】
サーチ部４５は、選択チャネルが、サーチ開始前の受信チャネルが放送していた番組と同一の番組を放送しているか否かを判断する（ステップＳ７０３）。具体的には、サーチ部４５は、選択チャネルの番組コードの取得をＤＡＢ再生部２２に指示する。ＤＡＢ再生部２２は、サーチ部４５の指示に応じて、選択チャネルの番組コードを選択チャネルに対応するＤＡＢ放送信号から読み出す。ＤＡＢ再生部２２は、読み出した番組コードをサーチ部４５に出力する。サーチ部４５は、ＤＡＢ再生部２２から受けた番組コードを、サーチ開始前の受信チャネルの番組コードと比較する。
【０１２０】
選択チャネルが同じ番組を放送していない場合（ステップＳ７０３においてＮｏ）、サーチ部４５は、全チャネルを選択したか否かを判断する（ステップＳ７０７）。全チャネルを選択した場合（ステップＳ７０７においてＹｅｓ）、サーチ部４５は、第２サーチ処理を終了する。全チャネルが選択されていない場合（ステップＳ７０７においてＮｏ）、サーチ部４５は、ステップＳ７０２に戻る。
【０１２１】
ステップＳ７０３の説明に戻る。選択チャネルが同じ番組を放送している場合（ステップＳ７０３においてＹｅｓ）、品質特定部４１は、選択チャネルに対応するＤＡＢ放送信号の品質を特定する（ステップＳ７０４）。ステップＳ７０４は、図１１に示すステップＳ６０４と同じ処理であるため、その説明を省略する。
【０１２２】
サーチ部４５は、選択チャネルに対応するＤＡＢ放送信号の品質を、サーチ開始前の受信チャネルに対応するＤＡＢ放送信号の品質と比較する（ステップＳ７０５）。選択チャネルに対応するＤＡＢ放送信号の品質が、サーチ開始前の受信チャネルに対応するＤＡＢ放送信号の品質よりも高い場合（ステップＳ７０５においてＹｅｓ）、サーチ部４５は、選択チャネルの音声信号の出力を開始する（ステップＳ７０６）。ステップＳ７０６は、図１１に示すステップＳ６０８と同じ処理であるため、その説明を省略する。
【０１２３】
選択チャネルに対応するＤＡＢ放送信号の品質が、サーチ開始前の受信チャネルに対応するＤＡＢ放送信号の品質以下である場合（ステップＳ７０５においてＮｏ）、サーチ部４５は、ステップＳ７０２に戻る。なお、サーチ開始前の受信チャネルに対応するＤＡＢ放送信号の品質は、サーチ開始の決定に用いられたデジタル品質情報であってもよいし、サーチ開始後に改めて品質特定部４１により生成されたデジタル品質情報であってもよい。
【０１２４】
第２サーチ処理は、サーチ開始前の受信チャネルと同じ番組を放送し、かつ、サーチ開始前の受信チャネルよりも品質の高いチャネルを検出した場合、サーチを終了する。これにより、第２サーチ処理は、ＤＡＢ放送信号５２Ａの再生を速やかに開始できる。受信中のＤＡＢ放送信号及びＦＭ放送信号の受信品質が安定しない場合、放送受信装置１は、第２サーチ処理を実行することにより、音声が出力されない時間を短縮できる。
【０１２５】
｛３．７．第３サーチ処理（ステップＳ１１３）｝
第３サーチ処理は、図１２に示す第２サーチ処理において、ステップＳ７０１に代えて、音声信号の出力を停止する処理を実行する。放送受信装置１は、第３サーチ処理を実行する場合、ＤＡＢ放送信号をサーチする期間に音声信号を出力しない。
【０１２６】
以上説明したように、本実施の形態に係る放送受信装置１は、受信中のＤＡＢ放送信号の品質が低下傾向にあり、かつ、受信中のＦＭ放送信号の品質が受信可能レベルよりも高い場合、ＤＡＢ音声信号に代えてＦＭ音声信号を出力し、ＤＡＢ放送信号をサーチする。これにより、ＤＡＢ放送信号及びＦＭ放送信号の両者の受信が不可能となる前に、他のＤＡＢ放送信号を受信することができるため、音声が出力されない期間を短縮できる。
【０１２７】
［第２の実施の形態］
図１３は、本発明の第２の実施の形態に係る放送受信装置が備える制御部７０の構成を示す機能ブロック図である。図１３を参照して、本実施の形態に係る放送受信装置は、制御部４０に代えて、制御部７０を備える。
【０１２８】
制御部７０は、品質特定部４１と、デジタル品質判断部４２と、アナログ品質判断部４３と、サーチ部４５と、位置判断部７１と、開始決定部７４とを備える。
【０１２９】
位置判断部７１は、車両５に搭載されたＧＰＳ（Global Positioning System）装置２から、車両５の現在位置を示す位置情報２ｇを取得する。位置判断部７１は、現在位置が受信中のＤＡＢ放送信号の放送エリアの境界であるか否かを判断する。位置判断部７１は、現在位置についての領域判断結果Ｒを開始決定部７４に出力する。
【０１３０】
開始決定部７４は、デジタル品質判断部４２から受けた判断結果Ｔｄと、アナログ品質判断部４３から受けた比較結果Ｃｆ１，Ｃｆ２と、位置判断部７１から受けた領域判断結果Ｒとに基づいて、ＤＡＢ放送信号のサーチを開始するか否かを決定する。
【０１３１】
図１４は、図１３に示す制御部７０の動作を示すフローチャートである。図１４を参照して、制御部７０は、図１１に示すステップＳ１０３を実行した後に、ステップＳ５０１及びＳ５０２を実行する。ステップＳ５０１は、位置判断部７１により実行され、ステップＳ５０２は、開始決定部７４により実行される。
【０１３２】
位置判断部７１は、ＧＰＳ装置２から受けた位置情報２ｇに基づいて、現在位置が放送エリアの境界領域内か否かを判断する（ステップＳ５０１）。例えば、ＤＡＢ受信部２０が、図１に示すＤＡＢ放送局５１が送信するＤＡＢ放送信号５１Ａを受信している場合、位置判断部７１は、現在位置が放送エリア５１Ｒ内であるか否かを判断する。
【０１３３】
ステップＳ５０１について詳しく説明する。ＤＡＢ再生部２２は、ＤＡＢ放送信号に含まれる放送局コード（図示省略）を取得し、その取得した放送局コードを位置判断部７１に出力する。放送局コードは、各放送局の識別情報である。
【０１３４】
位置判断部７１は、ＤＡＢ放送局の放送局コードと放送エリアの境界とを対応付けた境界テーブル（図示省略）を保持している。位置判断部７１は、ＤＡＢ再生部２２から受けた放送局コードに対応する放送エリアの境界を、境界テーブルを参照して特定する。位置判断部７１は、ＧＰＳ装置２から受けた位置情報２ｇにより特定される現在位置が、境界テーブルの参照により特定された放送エリアの境界内であるか否かを判断し、領域判断結果Ｒを開始決定部７４に出力する。
【０１３５】
開始決定部７４は、開始決定部７４から受けた領域判断結果Ｒに基づいて、ステップＳ５０２を実行する。領域判断結果Ｒが、現在位置が放送エリアの境界内であることを示している場合（ステップＳ５０２においてＹｅｓ）、開始決定部７４は、ＤＡＢ放送信号のサーチを開始するための位置的な条件が満たされていると判断し、ステップＳ１０４に進む。
【０１３６】
領域判断結果Ｒが、現在位置が放送エリアの境界外であることを示している場合（ステップＳ５０２においてＮｏ）、開始決定部７４は、ＤＡＢ放送信号のサーチを開始するための位置的な条件が満たされていないと判断する。この場合、開始決定部７４は、ＤＡＢ放送信号のサーチを開始しないことを決定する（ステップＳ１１４）。
【０１３７】
以上説明したように、現在位置が放送エリアの境界に位置する場合、ＤＡＢ放送信号のサーチが開始される。放送信号の品質は、放送エリアの境界で低下する。従って、第１デジタル放送信号の品質が低下傾向にあり、かつ、現在位置が放送エリアの境界である場合、第１デジタル放送信号の品質の低下傾向が続くと予想される。放送受信装置が第１デジタル放送信号を最終的に受信できなくなる可能性が高い。サーチ部は、放送エリアの境界でＤＡＢ放送信号のサーチが開始されることにより、放送受信装置１は、ＤＡＢ放送信号及びＦＭ放送信号の両者の受信が不可能となる前に、ＤＡＢ放送局５２により放送される番組を出力できる。
【０１３８】
また、制御部７０は、現在位置が受信中のＤＡＢ放送信号の放送エリアの境界でない場合、ＤＡＢ放送信号のサーチを開始しない。現在位置が放送エリアの中であるにもかかわらず、第１デジタル放送信号の品質が低下傾向にある場合、第１デジタル放送信号の品質が間もなく回復する可能性が高いためである。これにより、受信中のＤＡＢ放送信号の品質が一時的に低下した場合において、新たなサーチ開始を抑制できる。この結果、放送受信装置１から出力される再生信号の切替が頻繁に発生することを防ぐことができる。
【０１３９】
なお、本実施の形態において、位置判断部７１は、位置情報２ｇの履歴に基づいて車両５の移動方向を特定し、特定した移動方向が受信中の放送信号の放送エリアの境界に近づく方向であるか否かを判断してもよい。この場合、開始決定部７４は、ステップＳ５０２の後に、以下の処理を実行する。移動方向が放送エリアの境界に近づく方向である場合、開始決定部４４は、ステップＳ１０４に進む。
【０１４０】
放送受信装置１が放送エリアの境界に近づく場合、受信中の放送信号の品質は低下する。受信中のＤＡＢ放送信号の品質が低下傾向にあり、かつ、放送受信装置が、受信中のＤＡＢ放送信号の放送エリアの境界に近づく場合、放送受信装置１は、受信中のＤＡＢ放送信号を受信できなくなると予想される。この場合、放送受信装置１は、ＤＡＢ放送信号のサーチを開始することにより、音声が出力されない期間を短縮できる。
【０１４１】
領域判断結果が、移動方向が近づく方向であることを示している場合、開始決定部４４は、ＤＡＢ放送信号をサーチしないことを決定する（ステップＳ１１４）。受信中のＤＡＢ放送信号の品質が上昇すると予測されるためである。この結果、ＤＡＢ再生部２２により生成されたＤＡＢ再生信号の出力と、ＦＭ再生部１２により生成されたＦＭ再生信号の出力とが頻繁に切り替わることをさらに抑制できる。
【０１４２】
［変形例］
上記実施の形態では、放送受信装置１が、ＤＡＢ放送信号を受信する例を説明したが、これに限られない。放送受信装置１は、デジタル放送を行う放送局から送信されるデジタル放送信号を受信し、その受信したデジタル放送信号を再生できればよい。
【０１４３】
上記実施の形態では、放送受信装置１が、ＦＭ放送信号を受信する例を説明したが、これに限らない。放送受信装置１は、アナログ放送を行う放送局から送信されるアナログ放送信号を受信し、その受信したアナログ放送信号を再生できればよい。
【０１４４】
上記実施の形態では、デジタル品質情報５１Ｄが低下傾向にある場合（図７に示すステップＳ１０４においてＹｅｓ）、アナログ品質判断部４３が、アナログ品質情報６１Ｄをサーチ方法決定レベルと比較する（ステップＳ１０６）例を説明した。しかし、デジタル品質情報５１Ｄが低下傾向にある場合（ステップＳ１０４においてＹｅｓ）、アナログ品質判断部４３は、アナログ品質情報６１Ｄを受信可能レベルと比較してもよい。アナログ品質情報６１Ｄが受信可能レベルを上回っている場合、開始決定部４４は、デジタル放送信号のサーチ開始を決定する。サーチ部４５は、第１サーチ処理と第２サーチ処理とのいずれか一方を実行すればよい。
【０１４５】
上記実施の形態において、デジタル品質判断部４２は、デジタル品質情報５１Ｄが品質低下範囲にあり、かつ、デジタル品質情報５１Ｄの低下率が低下基準値よりも大きい場合に、デジタル品質情報５１Ｄが低下傾向にある例を説明したが、これに限られない。
【０１４６】
例えば、デジタル品質情報５１Ｄが品質低下範囲にある場合に、デジタル品質判断部４２は、デジタル品質情報５１Ｄが低下傾向にあると判断してもよい。この場合、ＤＡＢ放送信号の品質が緩やかに低下する場合であっても、サーチを開始できる。
【０１４７】
あるいは、デジタル品質情報５１Ｄの低下率が所定基準値よりも大きい場合に、デジタル品質判断部４２は、デジタル品質情報５１Ｄが低下傾向にあると判断してもよい。この場合、ＤＡＢ放送信号の品質が急激に低下した場合に、速やかにサーチを開始できる。
【０１４８】
その他、デジタル品質判断部４２は、デジタル品質情報５１Ｄが単調減少する期間が所定期間継続した場合に、デジタル品質情報５１Ｄが低下傾向にあると判断してもよい。つまり、デジタル品質判断部４２は、デジタル品質情報５１Ｄが低下傾向にあるか否かを判断することができれば、その方法は特に限定されない。
【０１４９】
上記実施の形態では、品質特定部４１は、図６に示す品質特定テーブル４１ｄを用いて、ＤＡＢ放送信号の品質を特定する例を説明した（図５に示すステップＳ１０１）。しかし、品質特定部４１は、ＤＡＢ放送信号のＲＳＳＩとＢＥＲとＣ／Ｎとを変数として有する関数を用いて、ＤＡＢ放送信号の品質を算出してもよい。
【０１５０】
上記実施の形態では、品質特定部４１は、図７に示す品質特定テーブル４１ｆを用いて、ＦＭ放送信号６１Ａの品質を特定する例を説明した（図５に示すステップＳ１０１）。しかし、品質特定部４１は、ＲＳＳＩとマルチパス検出信号と隣接妨害検出信号とを変数として有する関数を用いて、ＦＭ放送信号６１Ａの品質を算出してもよい。
【０１５１】
上記実施の形態では、品質特定部４１が、ＤＡＢ放送信号のＲＳＳＩとＢＥＲとＣ／Ｎとを用いてＤＡＢ放送信号の品質を特定する例を説明したが、これに限られない。品質特定部４１は、ＲＳＳＩとＢＥＲとＣ／Ｎとのうち少なくとも１つを用いて、ＤＡＢ放送信号の品質を特定してもよい。あるいは、品質特定部４１は、ＲＳＳＩ、ＢＥＲ及びＣ／Ｎ以外のパラメータを用いてＤＡＢ放送信号の品質を特定してもよい。ＦＭ放送信号の品質の特定についても同様である。
【０１５２】
また、上記実施の形態において、制御部４０及び７０の各機能ブロックは、ＬＳＩなどの半導体装置により個別に１チップ化されてもよいし、一部又は全部を含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１５３】
集積回路化の手法はＬＳＩに限るものではなく、専用回路又は汎用プロセサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１５４】
また、制御部４０及び７０の各機能ブロックにより実行される処理の一部または全部は、プログラムにより実現されてもよい。そして、上記各実施の形態の各機能ブロックの処理の一部または全部は、コンピュータにおいて、中央演算装置（ＣＰＵ）により行われる。また、それぞれの処理を行うためのプログラムは、ハードディスク、ＲＯＭなどの記憶装置に格納されており、ＲＯＭにおいて、あるいはＲＡＭに読み出されて実行される。
【０１５５】
また、上記実施の形態の各処理をハードウェアにより実現してもよいし、ソフトウェア（ＯＳ（オペレーティングシステム）、ミドルウェア、あるいは、所定のライブラリとともに実現される場合を含む。）により実現してもよい。さらに、ソフトウェアおよびハードウェアの混在処理により実現しても良い。
【０１５６】
例えば、制御部４０及び７０の各機能ブロックを、ソフトウェアにより実現する場合、図８に示したハードウェア構成（例えば、ＣＰＵ、ＲＯＭ、ＲＡＭ、入力部、出力部等をバスＢｕｓにより接続したハードウェア構成）を用いて、各機能部をソフトウェア処理により実現するようにしてもよい。
【０１５７】
また、上記実施の形態における処理方法の実行順序は、上記実施の形態の記載に制限されるものではなく、発明の要旨を逸脱しない範囲で実行順序を入れ替えてもよい。
【０１５８】
前述した方法をコンピュータに実行させるコンピュータプログラム及びそのプログラムを記録したコンピュータ読み取り可能な記録媒体は、本発明の範囲に含まれる。ここで、コンピュータ読み取り可能な記録媒体としては、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、大容量ＤＶＤ、次世代ＤＶＤ、半導体メモリを挙げることができる。
【０１５９】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【符号の説明】
【０１６０】
１  放送受信装置
１０  ＦＭ受信部
１１，２１  アンテナ
１２  ＦＭ再生部
２０  ＤＡＢ受信部
２２  ＤＡＢ再生部
３０  出力切替部
４０，５０  制御部
４１  品質特定部
４２  デジタル品質判断部
４３  アナログ品質判断部
４４  開始決定部
４５  サーチ部
５１  位置判断部
【図１】
2020072387.tif 000003
【図２】
2020072387.tif 000004
【図３】
2020072387.tif 000005
【図４】
2020072387.tif 000006
【図５】
2020072387.tif 000007
【図６】
2020072387.tif 000008
【図７】
2020072387.tif 000009
【図８】
2020072387.tif 000010
【図９】
2020072387.tif 000011
【図１０】
2020072387.tif 000012
【図１１】
2020072387.tif 000013
【図１２】
2020072387.tif 000014
【図１３】
2020072387.tif 000015
【図１４】
2020072387.tif 000016
【図１５】
2020072387.tif 000017